(57)【特許請求の範囲】
【請求項１】
建物の壁下地に取り付けられて、外壁材を施工する際に外壁材を下方から位置決め可能に支持する外壁材用補助部材であって、
前記壁下地に固定される固定部と、
前記固定部の下端部から屋外側に向かって突出した底部と、
前記底部の屋外側端部から上方に向かって突出した突出部とを備え、
前記突出部は、上縁が前記外壁材の下端面に線接触するように構成され、
前記底部は、前記固定部の下端部から屋外側に向かって上方に傾斜し、
前記底部と前記固定部との境界を含む部分には、前記底部から前記固定部に亘って第１の貫通孔が形成されたことを特徴とする外壁材用補助部材。
【請求項２】
前記固定部の下端から前記突出部の前記上縁までの上下寸法が、１０ｍｍ以上であることを特徴とする請求項１に記載の外壁材用補助部材。
【請求項３】
前記固定部と前記底部の成す角度が３０°以上７５°以下であることを特徴とする請求項１または請求項２に記載の外壁材用補助部材。
【請求項４】
前記第１の貫通孔は、
前記固定部に形成された第１孔部と、
前記底部に形成されて前記第１孔部と連続した第２孔部とを備え、
前記第２孔部の前記底部の傾斜方向における寸法は、前記第１孔部の上下寸法よりも大きいことを特徴とする請求項１〜３のいずれか１項に記載の外壁材用補助部材。
【請求項５】
前記固定部の前記第１の貫通孔よりも上側の部分には、第２の貫通孔が形成されていることを特徴とする請求項１〜４のいずれか１項に記載の外壁材用補助部材。
【請求項６】
請求項１〜５のいずれか１項に記載の外壁材用補助部材を用いて外壁材が施工された外壁材の施工構造であって、
前記外壁材用補助部材の前記固定部が、壁下地に取り付けられ、
前記突出部の上縁が前記外壁材の下端面に線接触することを特徴とする外壁材の施工構造。
【請求項７】
前記壁下地に固定され、前記外壁材用補助部材の下方に設けられた水切りを備え、
前記水切りは、
屋外側に向かって下り傾斜して、上面を流れる水を屋外側に排出する水受け部を備え、
前記外壁材用補助部材の前記固定部の下端が、前記水受け部の前記上面に接触したことを特徴とする請求項６に記載の外壁材の施工構造。
【請求項８】
前記壁下地は屋外側に複数の横胴縁を備えるとともに、当該横胴縁は通気手段を有しており、
前記固定部は、前記固定部の前記第１の貫通孔よりも上側の部分に形成された第２の貫通孔が所定の横胴縁の下方に位置するよう当該所定の横胴縁に固定され、
前記固定部、前記所定の横胴縁及び前記水受け部で囲まれ且つ前記第２の貫通孔と連通する空間は、前記外壁材の屋内側に形成された通気層に前記通気手段を介して連通することを特徴とする請求項７に記載の外壁材の施工構造。
【発明の詳細な説明】
【技術分野】
【０００１】
本発明は、壁下地に固定されて、外壁材を施工する際に外壁材を下方から位置決め可能に支持する外壁材用補助部材、およびこれを備えた外壁材の施工構造に関する。
【背景技術】
【０００２】
特許文献１には、縦張り外壁材の下端部を支持する縦張り補助部材が開示されている。この縦張り補助部材は、胴縁に固定される鉛直部と、鉛直部の下端部から屋外側に突出して、縦張り用外壁材の下端部を支持する水平係止部とからなる。
【先行技術文献】
【特許文献】
【０００３】
【特許文献１】実用新案登録第３１３７０２１号公報
【発明の概要】
【発明が解決しようとする課題】
【０００４】
ところで、縦張り補助部材には、隣り合う縦張り外壁材の間の目地や、縦張り外壁材の下端面に回り込んだ雨水等が流れる可能性がある。ここで、特許文献１に開示された縦張り補助部材は、水平係止部の水平な上面が縦張り外壁材の下端面に面接触した状態で、縦張り外壁材を支持している。このため、前記縦張り補助部材に流れた雨水が、水平係止部の上面と縦張り外壁材の下端面との間に溜まり、この水が縦張り外壁材に吸収されるおそれがある。
【０００５】
本発明は前記事情に鑑みてなされたものであって、外壁材を施工する際に外壁材を下方から位置決め可能に支持する外壁材用補助部材であって、当該補助部材に溜まる水が当該外壁材に吸収されるのを防止することが可能な外壁材用補助部材、およびこれを備えた外壁材の施工構造を提供することを目的とする。
【課題を解決するための手段】
【０００６】
前記目的を達成するために本発明の外壁材用補助部材は、建物の壁下地に取り付けられて、外壁材を施工する際に外壁材を下方から位置決め可能に支持する外壁材用補助部材であって、前記壁下地に固定される固定部と、前記固定部の下端部から屋外側に向かって突出した底部と、前記底部の屋外側端部から上方に向かって突出した突出部とを備え、前記突出部は、上縁が前記外壁材の下端面に線接触するように構成されたことを特徴とする。
【０００７】
また、前記底部は、前記固定部の下端部から屋外側に向かって上方に傾斜し、前記底部と前記固定部との境界を含む部分には、前記底部から前記固定部に亘って第１の貫通孔が形成されることが好ましい。
【０００８】
また、前記固定部の下端から前記突出部の前記上縁までの上下寸法が、１０ｍｍ以上であることが好ましい。
【０００９】
また、前記固定部と前記底部の成す角度が３０°以上７５°以下であることが好ましい。
【００１０】
また、前記第１の貫通孔は、前記固定部に形成された第１孔部と、前記底部に形成されて前記第１孔部と連続した第２孔部とを備え、前記第２孔部の前記底部の傾斜方向における寸法は、前記第１孔部の上下寸法よりも大きいことが好ましい。
【００１１】
また、前記固定部の前記第１の貫通孔よりも上側の部分には、第２の貫通孔が形成されていることが好ましい。
【００１２】
また、本発明の外壁材の施工構造は、前述の外壁材用補助部材を用いて外壁材が施工された外壁材の施工構造であって、前記外壁材用補助部材の前記固定部が、壁下地に取り付けられ、前記突出部の上縁が前記外壁材の下端面に線接触することを特徴とする。
【００１３】
また、前記壁下地に固定され、前記外壁材用補助部材の下方に設けられた水切りを備え、前記水切りは、屋外側に向かって下り傾斜して、上面を流れる水を屋外側に排出する水受け部を備え、前記外壁材用補助部材の前記固定部の下端が、前記水受け部の前記上面に接触することが好ましい。
【００１４】
また、前記壁下地は屋外側に複数の横胴縁を備えるとともに、当該横胴縁は通気手段を有しており、前記固定部は、前記第２の貫通孔が所定の横胴縁の下方に位置するよう当該所定の横胴縁に固定され、前記固定部、前記所定の横胴縁及び前記水受け部で囲まれ且つ前記第２の貫通孔と連通する空間は、前記外壁材の屋内側に形成された通気層に前記通気手段を介して連通することが好ましい。
【発明の効果】
【００１５】
本発明に係る外壁材用補助部材は、突出部の上縁が外壁材の下端面に線接触するため、外壁材と補助部材の突出部の間には、外壁材から流れ込んだ雨水が滞留しにくい。従って、外壁材が補助部材との間に溜まった雨水に濡れにくくなる。
【図面の簡単な説明】
【００１６】
【図１】図１は、本発明の実施形態の外壁材用補助部材を用いた外壁材の施工構造の断面図である。
【図２】図１のＡ−Ａ線断面図である。
【図３】図３は、図１のＢ部拡大図である。
【図４】図４Ａは外壁材用補助部材の正面図であり、図４Ｂは外壁材用補助部材の側面図であり、図４Ｃは外壁材用補助部材の平面図である。
【図５】実施形態の他例の外壁材用補助部材の正面図である。
【図６】本発明の実施形態の外壁材の施工構造における通気経路を説明するための斜視図である。
【図７】図７Ａ〜図７Ｄは、変形例の外壁材用補助部材の側面図である。
【発明を実施するための形態】
【００１７】
以下、添付図面に基づき、本発明の実施形態について説明する。図１には、本実施形態の外壁材用補助部材（外壁材用支持部材）１を用いた外壁材の施工構造が示されている。この外壁構造は、建物に設けられた壁下地２、補助部材１、および外壁材３を備えている。なお、以下では外壁材用補助部材１を単に「補助部材１」という。また、以下では、図１中矢印Ｄ１で示した屋外側の方向を前方、矢印Ｄ２で示した屋内側の方向を後方として説明する。
【００１８】
本実施形態の壁下地２は、土台２０と、複数の柱材２１と、透湿防水シート２２と、複数の横胴縁２３とを備えている。
【００１９】
土台２０は、基礎６０上に設けられている。土台２０には、図２に示されるように前記複数の柱材２１が左右方向（土台２０の長手方向）に並べて設けられており、各柱材２１は土台２０に支持されている。なお、各柱材２１は、管柱、通し柱、または間柱のいずれであってもよい。
【００２０】
図１に示されるように、本実施形態の外壁材の施工構造は、水切り（土台水切り）４を備えている。図３は、図１のＢ部拡大図である。水切り４は、土台２０の前面に沿って配置された板状の固着部４０と、固着部４０の下端部から前方に向かって突出した板状の水受け部４１と、水受け部４１の前端部（屋外側端部）から下方に向かって突出した板状の水切り部４２とを備えている。
【００２１】
固着部４０は、ビスまたは釘などの固着具を用いて、屋外側から土台２０に固着されており、これにより水切り４は壁下地２に取り付けられている。
【００２２】
図１に示されるように、土台２０と前記複数の柱材２１とで構成された下地ベース２４の前面には、透湿防水シート２２が設けられている。なお、透湿防水シート２２の下端部は、水切り４の固着部４０の前面に位置するよう設けられている。
【００２３】
図３に示されるように、水切り４の水受け部４１は、基礎６０上に位置し、その前端部は基礎６０の前面よりも屋外側に突出している。水切り４の水切り部４２は、基礎６０の上端部の前方を覆っている。
【００２４】
図１に示されるように、横胴縁２３は、下地ベース２４（土台２０と複数の柱材２１）の屋外側において上下方向に複数列配置されている。すなわち、本実施形態の壁下地２は、左右方向に一列に並べて設けられた横胴縁列を、上下方向に複数列備えている。
【００２５】
最下列の横胴縁列の各横胴縁２３は、透湿防水シート２２を介して土台２０の前面に沿って配置され、ビスまたは釘などの固着具を用いて、屋外側から土台２０に取り付けられている。また、最下列以外の横胴縁列の各横胴縁２３は、透湿防水シート２２を介して複数の柱材２１の前面に沿って配置され、ビスまたは釘などの固着具を用いて、屋外側から複数の柱材２１に取り付けられている。
【００２６】
各横胴縁列において、左右方向に並ぶ横胴縁２３同士の間には、図２に示されるように、通気用隙間２５が形成されている。各通気用隙間２５は、各横胴縁列の上方部と下方部を連通させる通気手段である。なお、通気手段は、通気用隙間２５に制限されず、例えば左右方向に並ぶ横胴縁列に替えて壁一面と略同長さの横胴縁２３を上下に貫通する孔や切り欠きであってもよい。
【００２７】
図１に示されるように、本実施形態の補助部材１は、外壁材３の張り始めに用いられる。なお、補助部材１は、建物の土台部分だけでなく、例えば２階以上の建物の所定階とその上側の階との間における上下方向に並ぶ２枚の外壁材３の間に設けられて、上側の外壁材３を施工する際に当該上側の外壁材３を下方から位置決め可能に支持してもよい。
【００２８】
図４Ａ〜図４Ｃは、本実施形態の補助部材１の正面図、側面図、および平面図である。補助部材１は、金属製である。具体的に補助部材１は、ガルバリウム鋼板（登録商標）から形成されている。なお、補助部材１は、鋼板や亜鉛めっき鋼板等のその他の材料から形成されてもよい。
【００２９】
補助部材１は、左右方向に延びた長尺部材である。補助部材１の厚み（板厚）は、０．３５ｍｍ以上１．２ｍｍ以下であることが好ましく、本実施形態では０．８ｍｍである。
【００３０】
図３に示されるように、補助部材１は、所定の横胴縁２３（図示例では、最下列の横胴縁２３）の前面に沿って配置された固定部１０と、固定部１０の下端部から前方に向かって突出した底部１１と、底部１１の前端部から上方に固定部１０と平行に突出して外壁材３の下端面に線接触する突出部１２とを備えている。
【００３１】
補助部材１には、上方に開口した溝部１３が形成されている。溝部１３は、突出部１２と、底部１１と、固定部１０の突出部１２に対向した下端部とで構成されている。
【００３２】
固定部１０は、厚み方向が前後方向と平行で左右方向に延びた矩形板状に形成されている。固定部１０は、釘またはビスなどの固着具６１を用いて、屋外側から最下列の横胴縁２３および土台２０に固着されている。これにより補助部材１は、壁下地２に取り付けられている。なお、本実施形態の固着具６１は、屋外側から横胴縁２３、透湿防水シート２２、水切り４の固着部４０を順に通して土台２０に固着されているが、横胴縁２３にのみ固着されてもよい。また、本実施形態の補助部材１には、固定部１０に固着具６１を通すための孔７０が形成されているが、この孔７０は省略してもよい。この場合、固着具６１は、固定部１０に打ち込まれることにより、固定部１０を貫通する。
【００３３】
底部１１は、固定部１０の下端部から前方に突出した矩形板状に形成されており、固定部１０の左右方向の全長に亘って形成されている。
【００３４】
底部１１は、固定部１０の下端部から前方（屋外側）に向かって上方に傾斜している。固定部１０と底部１１の成す角度θは、３０°以上７５°以下に設定されることが好ましい。本実施形態の角度θは、６０°である。
【００３５】
固定部１０の下端（底部１１と固定部１０の境界１４の下端）は、水切り４の水受け部４１の上面に接している。このため、作業者が補助部材１を壁下地２に取り付けるとき、固定部１０の下端を水受け部４１の上面に接するようにして、補助部材１の上下位置を決めることができる。
【００３６】
図４Ａ〜図４Ｃに示されるように、底部１１と固定部１０との境界１４を含む部分には、第１の貫通孔１５が左右方向に複数設けられている。各第１の貫通孔１５は、補助部材１を貫通し、溝部１３に入った雨水を排出する水抜き孔として機能する。
【００３７】
各第１の貫通孔１５は、図３に示されるように、固定部１０から底部１１に亘って形成されている。ただし、各第１の貫通孔１５は、突出部１２には形成されていない。このため、各第１の貫通孔１５は、屋外側から見たときに目立ち難い。具体的に各第１の貫通孔１５は、固定部１０の下端部に形成された第１孔部１６と、底部１１の後端部から前端部に亘って形成され、第１孔部１６の下端と連続した第２孔部１７とで構成されている。
【００３８】
本実施形態の底部１１は、上記の如く屋外側（前方）に向かって上り傾斜、即ち、屋内側（後方）に向かって下り傾斜している。また、固定部１０と底部１１の成す角度が７５°以下に設定されている。このため、底部１１上に雨水が流れ込んだとき、この雨水は底部１１の上面に沿って下端部までスムーズに流れ、この後、第１の貫通孔１５から排出される。
【００３９】
また、固定部１０と底部１１の成す角度は、３０°以上に設定されている。このため、溝部１３に雨水が溜まったとしても、この雨水は表面張力によって上昇し難く、これにより外壁材３は、濡れ難くなっている。
【００４０】
なお、本実施形態の第１の貫通孔１５は、矩形状であるが、その形状は特に制限されない。
【００４１】
各第１の貫通孔１５は、図３に示されるように、第１孔部１６の上下寸法Ｌ１よりも、第２孔部１７の底部１１の傾斜方向における寸法Ｌ２が大きい。また、第２孔部１７の上縁は、第１孔部１６の上縁よりも上方に位置している。このため、溝部１３の雨水が入り込んだとき、この雨水は、第１の貫通孔１５から屋外側に排出されやすい。本実施形態では、第１孔部１６の寸法Ｌ１が４ｍｍであり、第２孔部１７の寸法Ｌ２が９．５ｍｍである。
【００４２】
図３および図４Ａに示されるように、補助部材１の固定部１０において、最下列の横胴縁２３よりも下方に突出した部分には、第２の貫通孔（通気孔）１８が左右方向に複数形成されている。各第２の貫通孔１８は、各第１の貫通孔１５よりも上方に位置している。
【００４３】
補助部材１の固定部１０、最下列の横胴縁２３、及び水受け部４１で囲まれた空間５１は、前記複数の第２の貫通孔１８に連通している。これにより、空間５１は前記複数の第２の貫通孔１８を介して、補助部材１の溝部１３の内側に連通している。
【００４４】
本実施形態の第２の貫通孔１８は、左右方向において第１の貫通孔１５とは異なる位置に形成されており、補助部材１において孔加工によって強度低下する部分が分散して配置されている。なお、第２の貫通孔１８と第１の貫通孔１５は、左右方向において同じ位置に形成されてもよい。また、本実施形態の第２の貫通孔１８は、矩形状に形成されているが、その他の形状であってもよい。図５には、補助部材１に円形の第２の貫通孔１８を設けた例が示されている。
【００４５】
図３および図４Ａに示されるように、補助部材１の突出部１２は、底部１１の前端部から鉛直方向上向きに突出しており、固定部１０と平行な矩形板状に形成されている。突出部１２は、底部１１の左右方向の全長に亘って形成されている。
【００４６】
突出部１２は、外壁材３の下端面に線接触する上縁１９を備えている。本実施形態の上縁１９は、突出部１２の水平な上端面である。なお、上縁１９は、水平に対して傾いた上端面であってもよい。
【００４７】
突出部１２の上縁１９は、固定部１０の上縁よりも下方に位置している。補助部材１の固定部１０の下端から、突出部１２の上縁１９までの上下寸法Ｌ３は、１０ｍｍ以上であり、上縁１９と固定部１０の下端との間に比較的大きな間隔を設けることができる。このため、補助部材１の溝部１３に雨水が溜まったとしても、この雨水は突出部１２の上縁１９で支持された外壁材３に接触しにくい。本実施形態の上下寸法Ｌ３は、１３ｍｍに設定されている。
【００４８】
本実施形態の外壁材３は、壁下地２に対して縦張りで設けられる縦張り用外壁材である。なお、外壁材３は横張り用外壁材であってもよい。
【００４９】
外壁材３は、上下複数列の横胴縁列の前面に沿って、図２に示されるように左右方向に複数並べて配置されている。外壁材３としては、例えば窯業系サイディングが用いられる。なお、外壁材３は、金属形サイディングや木質系サイディング等、従来から知られているその他の外壁材３であってもよい。
【００５０】
各外壁材３は、図１に示されるように、補助部材１の突出部１２の上縁１９に載置された状態で、ビスまたは釘などの固着具６２を屋外側から複数打ち込み、これら固着具６２を横胴縁２３に固着することで、壁下地２に取り付けられる。また、左右方向に隣り合う外壁材３同士は、図２に示されるように相じゃくり接合されている。
【００５１】
なお、各外壁材３は、固着具６２ではなく、留め具等を用いて壁下地２に取り付けられてもよい。また、各外壁材３が壁下地２に取り付けられた状態では、各外壁材３の荷重は、補助部材１によって支持されてもよいし、支持されなくてもよい。すなわち、補助部材１は、少なくとも、外壁材３を施工する際に外壁材３を下方から位置決め可能に支持するものであればよい。
【００５２】
図１に示されるように、外壁材３の屋内側、具体的には下地ベース２４の前面に貼り付けられた透湿防水シート２２と外壁材３の間には、通気層（通気空間）５０が形成されている。通気層５０には、複数列の横胴縁列が配置されているが、前述のように各横胴縁列には上下方向に貫通する通気用隙間２５（図２参照）が設けられているため、通気層５０は上下方向に亘って連続した空間となっている。
【００５３】
通気層５０は、最下列の横胴縁２３と水切り４の水受け部４１の間の空間５１、前記複数の第２の貫通孔１８、および前記複数の第１の貫通孔１５を順に介して、外壁材３の屋外空間に連通しており、図６に矢印で示すように、通気される。したがって、第１の貫通孔１５は、通気孔としても機能する。
【００５４】
ところで、図２に示されるように、左右方向に隣り合う外壁材３の間に形成された目地５２に、雨水が浸入した場合、この雨水は当該目地５２に沿って流下して補助部材１に至る可能性がある。また、外壁材３の前面を流下した雨水も、外壁材３の下端面に回り込んで補助部材１に至る可能性がある。このように補助部材１に雨水が流れると、外壁材３と補助部材１との間に雨水が溜まり、この雨水が外壁材３に触れる可能性がある。
【００５５】
ここで、本実施形態の補助部材１は、図３に示されるように突出部１２の上縁１９だけが外壁材３に接触しており、この上縁１９（突出部１２の上端面）は、外壁材３の下端面に対して線接触（線状に接触）している。このため、補助部材１の外壁材３との接触面積は極めて小さく、これにより外壁材３と補助部材１との間には、外壁材３から流れ込んだ雨水が滞留しにくくなっている。
【００５６】
水切り４は、外壁材３の前面や下端面から落下した雨水、並びに補助部材１の第１の貫通孔１５から排出された雨水を、水受け部４１の上面で受ける。この雨水は、傾斜した水受け部４１の上面に沿って屋外側に流れて水切り部４２の前面を伝い、この後、水切り部４２の下縁から落下する。
【００５７】
ここで、補助部材１の固定部１０の下端（固定部１０と底部１１との境界１４）は、水受け部４１の上面に接している。このため、第１の貫通孔１５付近に存在する雨水は、水受け部４１上の雨水に接触して水受け部４１側に引っ張られやすい。従って、第１の貫通孔１５付近に滞留した雨水は、排出されやすい。
【００５８】
また、各第１の貫通孔１５は、補助部材１の底部１１から固定部１０にまで亘って形成されている。このため、仮に外壁材３と壁下地２の間の通気層５０に雨水が浸入し、この雨水が、水受け部４１の補助部材１よりも屋内側の部分の上に流れ込んだとしても、この雨水は、固定部１０に形成された第１孔部１６と底部１１に形成された第２孔部１７を経て屋外側に排出される。
【００５９】
以上説明した本実施形態の補助部材１は、以下の特徴を有している。補助部材１は、建物の壁下地２に取り付けられて、外壁材３を施工する際に外壁材３を下方から位置決め可能に支持する補助部材である。補助部材１は、壁下地２に固定される固定部１０と、固定部１０の下端部から屋外側に向かって突出した底部１１と、底部１１の屋外側端部から上方に向かって突出した突出部１２とを備える。突出部１２は、上縁１９が外壁材３の下端面に線接触するように構成される。
【００６０】
この特徴を有する補助部材１は、突出部１２の上縁１９が外壁材３の下端面に線接触するように構成される。このため、外壁材３と補助部材１の突出部１２との間には、外壁材３から流れ込んだ雨水が滞留しにくい。これにより、外壁材３は、補助部材１との間に溜まった雨水に濡れにくくなる。
【００６１】
また、本実施形態の補助部材１は、以下の付加的な特徴を有している。底部１１は、固定部１０の下端部から屋外側に向かって上方に傾斜している。底部１１と固定部１０との境界１４を含む部分には、底部１１から固定部１０に亘って第１の貫通孔１５が形成される。
【００６２】
この特徴を有する補助部材１は、突出部１２と固定部１０の間に入った雨水が、第１の貫通孔１５から排出される。このため、突出部１２と固定部１０の間に雨水が溜まりにくくなり、外壁材３は一層濡れにくくなる。また、第１の貫通孔１５が底部１１から固定部１０にまで亘って形成されるため、第１の貫通孔１５を底部１１にのみ形成する場合と比較して、屋外側から見たときに第１の貫通孔１５が目立ち難くなり、また、第１の貫通孔１５の開口面積を大きくして、突出部１２と固定部１０の間に入った雨水の排水性を向上できる。
【００６３】
また、本実施形態の補助部材１は、以下の付加的な特徴を有している。固定部１０の下端から突出部１２の上縁１９までの上下寸法Ｌ３が、１０ｍｍ以上である。
【００６４】
この特徴を有する補助部材１は、仮に突出部１２と固定部１０の間に雨水が溜まったとしても、この雨水は外壁材３から下方に離れて位置しやすい。このため、突出部１２の上縁１９で下から支持された外壁材３は、一層濡れにくくなる。
【００６５】
また、本実施形態の補助部材１は、以下の付加的な特徴を有している。固定部１０と底部１１の成す角度θが３０°以上７５°以下である。
【００６６】
ここで、固定部１０と底部１１の成す角度が小さいと、突出部１２と固定部１０の間に溜まった雨水の水位が上昇しやすく、この雨水で外壁材３が濡れる可能性があるが、前述のように固定部１０と底部１１の成す角度θが３０°以上であると、突出部１２と固定部１０の間に溜まった雨水が表面張力により上昇することが抑制される。このため、外壁材３はより一層濡れ難くなる。また、固定部１０と底部１１の成す角度θが７５°以下であると、底部１１の傾斜により、底部１１上の雨水が第１の貫通孔１５側に流れやすくなる。このため、突出部１２と固定部１０の間に溜まった雨水も排出されやすい。
【００６７】
また、本実施形態の補助部材１は、以下の付加的な特徴を有している。第１の貫通孔１５は、固定部１０に形成された第１孔部１６と、底部１１に形成されて、第１孔部１６と連続した第２孔部１７とを備える。第２孔部１７の底部１１の傾斜方向における寸法Ｌ２は、第１孔部１６の上下寸法Ｌ１よりも大きい。
【００６８】
この特徴を有する補助部材１は、第２孔部１７の寸法Ｌ２が、第１孔部１６の寸法Ｌ１よりも大きいため、突出部１２と固定部１０の間の雨水が屋外側に排出されやすくなり、スムーズな排水を実現できる。
【００６９】
また、本実施形態の補助部材１は、以下の付加的な特徴を有している。固定部１０の第１の貫通孔１５よりも上側の部分には、第２の貫通孔１８が形成される。
【００７０】
この特徴を有する補助部材１は、第１の貫通孔１５と第２の貫通孔１８を通じて通気ができる。
【００７１】
また、本実施形態の外壁材の施工構造は、以下の特徴を有している。前述した補助部材１を用いて外壁材３が施工された外壁材の施工構造である。補助部材１の固定部１０が、壁下地２に取り付けられる。突出部１２の上縁１９が外壁材３の下端面に線接触する。
【００７２】
この特徴を有する外壁材の施工構造は、補助部材１の突出部１２の上縁１９が外壁材３の下端面に線接触するため、外壁材３と補助部材１の突出部１２との間に、外壁材３から流れ込んだ雨水が滞留しにくい。このため、外壁材３が、補助部材１との間に溜まった雨水に濡れにくくなる。
【００７３】
また、本実施形態の外壁材の施工構造は、以下の付加的な特徴を有している。外壁材の施工構造は、壁下地２に固定され、補助部材１の下方に設けられた水切りを備える。水切り４は、屋外側に向かって下り傾斜して、上面を流れる水を屋外側に排出する水受け部４１を備える。補助部材１の固定部１０の下端が、水受け部４１の上面に接触する。
【００７４】
この特徴を有する外壁材の施工構造は、作業者が補助部材１を壁下地２に取り付けるとき、補助部材１の固定部１０の下端を水受け部４１の上面に接するようにして、補助部材１の上下位置を位置決めできる。このため、補助部材１を壁下地２に容易に取り付けることができる。
【００７５】
また、本実施形態の外壁材の施工構造は、以下の付加的な特徴を有している。壁下地２は屋外側に複数の横胴縁２３を備えるとともに、当該横胴縁２３は通気手段（通気用隙間２５）を有する。固定部１０は、第２の貫通孔１８が所定の横胴縁２３（最下列の横胴縁２３）の下方に位置するよう当該所定の横胴縁２３に固定される。固定部１０、所定の横胴縁２３及び水受け部で囲まれ且つ第２の貫通孔１８と連通する空間５１は、外壁材３の屋内側に形成された通気層５０に通気手段を介して連通することを特徴とする。
【００７６】
この特徴を有する外壁材の施工構造では、外壁材３の屋内側に形成された通気層５０が、横胴縁２３が有する通気手段、空間５１、第２の貫通孔１８、および第１の貫通孔１５を介して屋外側に連通し、通気層５０が通気される。
【００７７】
図７Ａ〜図７Ｄに補助部材１の変形例を示す。図７Ａに示す補助部材１は、固定部１０と底部１１の成す角度θが３０°である。図７Ｂに示す補助部材１は、固定部１０と底部１１の成す角度θが７５°である。図７Ｃに示す補助部材１は、底部１１が断面円弧状に形成されている。また、突出部１２は底部１１に連続し、底部１１との境界線が現れない。図７Ｄに示す補助部材１は、前記実施形態の補助部材１よりも突出部１２の上下長さが短い。なお、図７Ａ〜図７Ｄに示される補助部材１のその他の構成は同じである。
【００７８】
また、この他、本実施形態の補助部材１および外壁材の施工構造は、本発明の趣旨を逸脱しない範囲で適宜設計変更可能である。
【符号の説明】
【００７９】
θ  固定部と底部の成す角度
１  外壁材用補助部材
１０  固定部
１１  底部
１２  突出部
１４  境界
１５  第１の貫通孔
１８  第２の貫通孔
１９  上縁
２  壁下地
２３  横胴縁
２５  通気用隙間
３  外壁材
４  水切り
４１  水受け部
５０  通気層
【図１】
0006629526.tif 000002
【図２】
0006629526.tif 000003
【図３】
0006629526.tif 000004
【図４】
0006629526.tif 000005
【図５】
0006629526.tif 000006
【図６】
0006629526.tif 000007
【図７】
0006629526.tif 000008